(57)【要約】【課題】ユーザＩＤとパスワードを同時に他人に見られないように入力することができるようにする。【解決手段】ユーザを認証するユーザＩＤとパスワードの入力画面において、ユーザからのリモートコントローラの操作によって、文字４のいずれかが選択される。そして、ユーザにより決定ボタンが押し下げられると、その選択された文字は、入力文字として決定され、ＩＤ枠１、またはパスワード枠２に入力文字に対応する伏字が表示される。本発明は認証システムに適用できる。【選択図】　　　図２３
2004038403.tif 000002
【特許請求の範囲】
【請求項１】
ユーザを認証するユーザＩＤとパスワードの入力画面の表示を制御する表示制御装置において、
前記ユーザＩＤの表示を制御する第１の表示制御手段と、
前記パスワードが入力されたとき、入力された前記パスワードを伏字表示するように制御する第１の伏字表示制御手段と、
前記パスワードが入力されるとき、前記第１の表示制御手段の制御により表示されている前記ユーザＩＤを、伏字表示させるように制御する第２の伏字表示制御手段と
を備えることを特徴とする表示制御装置。
【請求項２】
前記第２の伏字表示制御手段は、前記ユーザＩＤの入力が確定されたとき、前記ユーザＩＤを伏字表示させるように制御する
ことを特徴とする請求項１に記載の表示制御装置。
【請求項３】
ユーザを認証するユーザＩＤとパスワードの入力画面の表示を制御する表示制御装置の表示制御方法において、
前記ユーザＩＤの表示を制御する第１の表示制御ステップと、
前記パスワードが入力されたとき、入力された前記パスワードを伏字表示するように制御する第１の伏字表示制御ステップと、
前記パスワードが入力されるとき、前記第１の表示制御ステップの制御により表示されている前記ユーザＩＤを、伏字表示させるように制御する第２の伏字表示制御ステップと
を含むことを特徴とする表示制御方法。
【請求項４】
ユーザを認証するユーザＩＤとパスワードの入力画面の表示を制御する表示制御装置のプログラムであって、
前記ユーザＩＤの表示を制御する第１の表示制御ステップと、
前記パスワードが入力されたとき、入力された前記パスワードを伏字表示するように制御する第１の伏字表示制御ステップと、
前記パスワードが入力されるとき、前記第１の表示制御ステップの制御により表示されている前記ユーザＩＤを、伏字表示させるように制御する第２の伏字表示制御ステップと
を含むことを特徴とするコンピュータが読み取り可能なプログラムが記録されている記録媒体。
【請求項５】
ユーザを認証するユーザＩＤとパスワードの入力画面の表示を制御する表示制御装置を制御するコンピュータに、
前記ユーザＩＤの表示を制御する第１の表示制御ステップと、
前記パスワードが入力されたとき、入力された前記パスワードを伏字表示するように制御する第１の伏字表示制御ステップと、
前記パスワードが入力されるとき、前記第１の表示制御ステップの制御により表示されている前記ユーザＩＤを、伏字表示させるように制御する第２の伏字表示制御ステップと
を実行させることを特徴とするプログラム。
【請求項６】
ユーザを認証するユーザＩＤとパスワードの入力画面の表示を制御する表示制御装置において、
前記ユーザＩＤが入力されたとき、入力された前記ユーザＩＤを伏字表示するように制御する第１の伏字表示制御手段と、
前記パスワードが入力されたとき、入力された前記パスワードを伏字表示するように制御する第２の伏字表示制御手段と
を備えることを特徴とする表示制御装置。
【請求項７】
ユーザを認証するユーザＩＤとパスワードの入力画面の表示を制御する表示制御装置の表示制御方法において、
前記ユーザＩＤが入力されたとき、入力された前記ユーザＩＤを伏字表示するように制御する第１の伏字表示制御ステップと、
前記パスワードが入力されたとき、入力された前記パスワードを伏字表示するように制御する第２の伏字表示制御ステップと
を含むことを特徴とする表示制御方法。
【請求項８】
ユーザを認証するユーザＩＤとパスワードの入力画面の表示を制御する表示制御装置のプログラムであって、
前記ユーザＩＤが入力されたとき、入力された前記ユーザＩＤを伏字表示するように制御する第１の伏字表示制御ステップと、
前記パスワードが入力されたとき、入力された前記パスワードを伏字表示するように制御する第２の伏字表示制御ステップと
を含むことを特徴とするコンピュータが読み取り可能なプログラムが記録されている記録媒体。
【請求項９】
ユーザを認証するユーザＩＤとパスワードの入力画面の表示を制御する表示制御装置を制御するコンピュータに、
前記ユーザＩＤが入力されたとき、入力された前記ユーザＩＤを伏字表示するように制御する第１の伏字表示制御ステップと、
前記パスワードが入力されたとき、入力された前記パスワードを伏字表示するように制御する第２の伏字表示制御ステップと
を実行させることを特徴とするプログラム。
【発明の詳細な説明】
【０００１】
【発明の属する技術分野】
本発明は、表示制御装置および方法、記録媒体、並びにプログラムに関し、特に、ディスプレイ上のユーザＩＤとパスワードを同時に他人に見られることがないようにした表示制御装置および方法、記録媒体、並びにプログラムに関する。
【０００２】
【従来の技術】
従来、例えば、テレビジョン受像機で、ユーザＩＤとパスワードを入力することによって、ユーザの認証が行われる場合の処理について、図１と図２のフローチャートを参照して説明する。なお、図３に示されるように、テレビジョン受像機の表示部１１には、ユーザからの所定の操作に基づいて、認証システムが認証するために必要な画面（認証画面）が表示されている状態にあるものとする。認証画面上には、ユーザＩＤが入力されるＩＤ枠１、パスワードが入力されるパスワード枠２、入力文字を選択するための文字選択マーク３、並びに選択される文字４が表示されている。ユーザは、リモートコントローラ（図示せず）を操作して、ＩＤとパスワードを入力するものとする。
【０００３】
テレビジョン受像機の表示を制御する表示制御部（図示せず）は、ステップＳ１において、図４に示されるように、ユーザの操作に基づいて、カーソル５を、ＩＤ枠１に移動させる。表示制御部は、ステップＳ２において、ユーザからの操作信号が文字選択信号であるか否かを判定し、文字選択信号が入力されるまで待機する。操作信号が文字選択信号であると判定した場合、処理をステップＳ３に進め、表示制御部は、文字選択マーク３の矢印の表示を変更する。
【０００４】
ステップＳ４において、表示制御部は、文字４のうち、現在ハイライト表示されている文字を、ユーザにより指示された方向の文字に移動する。
【０００５】
ステップＳ５において、ユーザが操作するリモートコントローラに備えられている決定ボタンが押されたか否かが判定され、押されていない場合、処理はステップＳ２に戻る。決定ボタンが押されたと判定された場合、表示制御部は、処理をステップＳ６に進め、選択された文字を、入力されたユーザＩＤとして記憶する。表示制御部は、ステップＳ７において、選択された文字をＩＤ枠１に表示させる。
【０００６】
ステップＳ８において、表示制御部は、決定ボタンが再度押されたか否かを判定し、決定ボタンが押されていない場合、処理はステップＳ２に戻る。以上の処理が繰り返されて、複数の文字または数字の組み合わせからなるユーザＩＤが入力される。
【０００７】
ＩＤの入力が終了すると、ユーザは決定ボタンを操作する。このとき、ステップＳ８で、決定ボタンが再度押されたと判定され、処理はステップＳ９に進み、表示制御部は、図５に示されるように、カーソル５をパスワード枠２に移動させる。
【０００８】
表示制御部は、ステップＳ１０において、ユーザからの操作信号が文字選択信号であるか否かを判定し、文字選択信号が入力されるまで待機する。操作信号が文字選択信号であると判定した場合、処理をステップＳ１１に進め、表示制御部は、ユーザＩＤの場合と同様に、文字選択マーク３の矢印を、ユーザが指示した方向の矢印に変更する。
【０００９】
表示制御部は、ステップＳ１２において、ユーザＩＤの場合と同様に、文字４のうち現在ハイライト表示されている文字を、選択された方向に移動する。ステップＳ１３において、表示制御部は、決定ボタンが押されたか否かを判定し、決定ボタンが押されていない場合、ステップＳ１０に戻る。決定ボタンが押されたと判定された場合、表示制御部は、処理をステップＳ１４に進め、選択された文字を、入力されたパスワードとして記憶する。
【００１０】
ステップＳ１５において、入力文字に対応する文字が伏字として、パスワード枠２に表示される。ステップＳ１６において、決定ボタンが再度押されたか否かが判定され、押されていない場合、処理はステップＳ１０に戻り、それ以降の処理が繰り返される。これにより必要なパスワードが入力され、図６に示されるように表示される。
【００１１】
ユーザはパスワードの入力を完了したとき、再び決定ボタンを押す。このとき、ステップＳ１６で、決定ボタンが再度押されていると判定され、処理は終了する。
【００１２】
このように、従来の認証システムにおいては、図６に示されるように、ＩＤ枠１には入力されたユーザＩＤがそのまま表示され、パスワード枠２には入力されたパスワードが伏字として表示される。
【００１３】
【発明が解決しようとする課題】
このように、従来の認証システムでは、ユーザが、テレビジョン受像機などの大画面のソフトキーボード（画面上に表示されるキーボード）でパスワードやユーザＩＤを入力する場合、図６に示されるように、パスワード枠２の表示を伏字にしても、ハイライト表示された文字４（パスワード）を他人に見られるおそれが高く、結果的に、ユーザＩＤとパスワードの両方が他人に見られてしまうことになる。
【００１４】
したがって、このような認証システムでは、認証時の安全性が低かった。
【００１５】
本発明はこのような状況に鑑みてなされたものであり、ユーザＩＤとパスワードの入力によって使用者を認証するシステムにおいて、認証時の安全性を高めることができるようにすることを目的とする。
【００１６】
【課題を解決するための手段】
本発明の第１の表示制御装置は、ユーザＩＤの表示を制御する第１の表示制御手段と、パスワードが入力されたとき、入力されたパスワードを伏字表示するように制御する第１の伏字表示制御手段と、パスワードが入力されるとき、第１の表示制御手段の制御により表示されているユーザＩＤを、伏字表示させるように制御する第２の伏字表示制御手段とを備えることを特徴とする。
【００１７】
第２の伏字表示制御手段には、ユーザＩＤの入力が確定されたとき、ユーザＩＤを伏字表示させるように制御させるようにすることができる。
【００１８】
本発明の第１の表示制御装置の方法は、ユーザＩＤの表示を制御する第１の表示制御ステップと、パスワードが入力されたとき、入力されたパスワードを伏字表示するように制御する第１の伏字表示制御ステップと、パスワードが入力されるとき、第１の表示制御ステップの制御により表示されているユーザＩＤを、伏字表示させるように制御する第２の伏字表示制御ステップと　を含むことを特徴とする。
【００１９】
本発明の第１の記録媒体のプログラムは、ユーザＩＤの表示を制御する第１の表示制御ステップと、パスワードが入力されたとき、入力されたパスワードを伏字表示するように制御する第１の伏字表示制御ステップと、パスワードが入力されるとき、第１の表示制御ステップの制御により表示されているユーザＩＤを、伏字表示させるように制御する第２の伏字表示制御ステップとを含むことを特徴とする。
【００２０】
本発明の第１のプログラムは、ユーザＩＤの表示を制御する第１の表示制御ステップと、パスワードが入力されたとき、入力されたパスワードを伏字表示するように制御する第１の伏字表示制御ステップと、パスワードが入力されるとき、第１の表示制御ステップの制御により表示されているユーザＩＤを、伏字表示させるように制御する第２の伏字表示制御ステップとをコンピュータに実行させることを特徴とする。
【００２１】
本発明の第２の表示制御装置は、ユーザＩＤが入力されたとき、入力されたユーザＩＤを伏字表示するように制御する第１の伏字表示制御手段と、パスワードが入力されたとき、入力されたパスワードを伏字表示するように制御する第２の伏字表示制御手段とを備えることを特徴とする。
【００２２】
本発明の第２の表示制御装置の方法は、ユーザＩＤが入力されたとき、入力されたユーザＩＤを伏字表示するように制御する第１の伏字表示制御ステップと、パスワードが入力されたとき、入力されたパスワードを伏字表示するように制御する第２の伏字表示制御ステップとを含むことを特徴とする。
【００２３】
本発明の第２の記録媒体のプログラムは、ユーザＩＤが入力されたとき、入力されたユーザＩＤを伏字表示するように制御する第１の伏字表示制御ステップと、パスワードが入力されたとき、入力されたパスワードを伏字表示するように制御する第２の伏字表示制御ステップとを含むことを特徴とする。
【００２４】
本発明の第２のプログラムは、ユーザＩＤが入力されたとき、入力されたユーザＩＤを伏字表示するように制御する第１の伏字表示制御ステップと、パスワードが入力されたとき、入力されたパスワードを伏字表示するように制御する第２の伏字表示制御ステップとをコンピュータに実行させることを特徴とする。
【００２５】
第１の本発明においては、パスワードが伏字表示されるだけでなく、パスワードが入力されるとき、ユーザＩＤも伏字表示される。
【００２６】
第２の本発明においては、ユーザＩＤとパスワードの両方が、入力されるとき、伏字表示される。
【００２７】
【発明の実施の形態】
以下、本発明の実施の形態について、図面を参照して説明する。図７は、本発明を適用した認証システムの構成を示している。この認証システムは、テレビジョン受像機２１とリモートコントローラ３０から構成されている。
【００２８】
リモートコントローラ３０は、決定ボタン３３等からなる操作部３２を有しており、操作部３２（決定ボタン３３）に対するユーザの押し下げ操作を検知して、対応する操作信号を、赤外線信号として、発光部３１からテレビジョン受像機２１に出力する。この赤外線信号は、テレビジョン受像機２１の受光部２２によって受光される。
【００２９】
テレビジョン受像機２１は、受光部２２で受光した操作信号に基づいて、表示部１１に表示された、認証画面上の文字選択マーク３の表示を制御する。このとき、テレビジョン受像機２１は、文字選択マーク３の表示変更にあわせて、ユーザが現在選択している文字を認識しやすいように、文字４のうちのハイライト表示されている文字も移動させる。そして、テレビジョン受像機２１は、決定ボタン３３の押し下げ操作の信号を受信すると、ＩＤ枠１やパスワード枠２に選択された文字を表示し、その文字をユーザＩＤやパスワードに設定する。
【００３０】
このように、ユーザは、リモートコントローラ３０を操作することによって、認証画面内において、文字選択マーク３の矢印の表示位置を変更し、文字４のハイライト表示を移動させて、入力文字を指定するとともに、その状態で決定ボタン３３を押し下げることによって、ＩＤ枠１またはパスワード枠２にその文字を表示し、ユーザＩＤまたはパスワードを設定することができる。
【００３１】
図８は、図７のテレビジョン受像機２１の構成例を示すブロック図である。
【００３２】
テレビジョン受像機２１には、内部バス４１を介してチューナ４２、デコーダ４３、およびＭＰＵ（Ｍｉｃｒｏ　Ｐｒｏｃｅｓｓｉｎｇ　Ｕｎｉｔ）４４が相互に接続されている。また、内部バス４１には、表示部１１の表示を制御する表示制御部４５、受光部２２、および記憶部４６が接続されている。
【００３３】
さらに、内部バス４１には、リムーバブルメモリ４８などの記録媒体に対してデータを読み書きするドライブ４７が必要に応じて接続される。
【００３４】
このテレビジョン受像機２１に本発明を適用した表示制御装置としての動作を実行させる表示制御プログラムは、リムーバブルメモリ４８に格納された状態でテレビジョン受像機２１に供給され、ドライブ４７によって読み出されて、記憶部４６に内蔵されるハードディスクドライブにインストールされる。記憶部４６にインストールされた表示制御プログラムは、受光部２２に入力されるユーザからのコマンドに対応するＭＰＵ４４の指令によって、記憶部４６からロードされて実行される。
【００３５】
ＭＰＵ４４は、ユーザからの指令に基づいて、各部を制御する。チューナ４２は放送信号を受信する。デコーダ４３は、例えば、ＭＰＥＧ（Ｍｏｖｉｎｇ　Ｐｉｃｔｕｒｅ　ＥｘｐｅｒｔｓＧｒｏｕｐ）方式でエンコードされているデータをその方式でデコードする。
【００３６】
また、ＭＰＵ４４は、表示制御部４５を制御し、表示部１１に認証画面を表示させたり、その画面の表示を変更させたりする。さらに、ＭＰＵ４４は、受光部２２を介して、リモートコントローラ３０から発光される操作入力信号を入力する。記憶部４６は、登録されたユーザＩＤやパスワードを記憶する。なお、入力されたユーザＩＤやパスワードは、ＭＰＵ４４が内蔵するＲＡＭに一時的に記憶される。
【００３７】
図９は、図７のリモートコントローラ３０の詳細な構成例を示すブロック図である。リモートコントローラ３０には、発光部３１と操作部３２が設けられている。また、操作部３２には、入力文字を決定する決定ボタン３３が備えられている。
【００３８】
操作検出部６１は、ユーザが操作部３２（決定ボタン３３）を操作すると、その操作を検出し、検出結果をＭＰＵ６２に出力する。ＭＰＵ６２は、発光部３１を制御し、検出した結果に対応する信号（操作入力信号）をテレビジョン受像機２１に出力させる。
【００３９】
次に、本発明を適用したテレビジョン受像機２１がユーザＩＤとパスワードを設定する処理を図１０と図１１のフローチャートを参照して説明する。なお、ＭＰＵ４４は、表示部１１に、図１２に示されるような認証画面を表示させているものとする。この認証画面には、ＩＤ枠１、パスワード枠２、文字選択マーク３、および文字４が表示されている。
【００４０】
ステップＳ３１において、テレビジョン受像機２１のＭＰＵ４４は、ユーザが操作部３２を操作して入力したユーザＩＤ入力の指令に対応して、図１３に示されるように、カーソル５をＩＤ枠１に移動させる。ステップＳ３２において、ＭＰＵ４４は、受光部２２から操作信号を検出し、その操作信号が文字選択信号であるか否かを判定する。操作信号が文字選択信号ではないと判定された場合、ＭＰＵ４４は、文字選択信号を検出するまで、処理をステップＳ３２に留める。
【００４１】
ステップＳ３２において、操作信号が文字選択信号であると判定された場合、ＭＰＵ４４は、処理をステップＳ３３に進め、文字選択マーク３の矢印の表示を、ユーザが指示した方向の矢印の表示に変更する。例えば、図１２に示されるように、文字選択マーク３の矢印が全て点灯していない状態で、ユーザから右への移動が指示されたとき、図１４に示されるように、文字選択マーク３の右方向の矢印が点灯される。
【００４２】
ステップＳ３４において、ＭＰＵ４４は、文字４のうちのハイライト表示を、現在選択されている文字の位置から、ユーザにより指示された方向に移動させる。例えば、図１２に示されるように、文字４の「ｗ」がハイライト表示されていた場合、ユーザから右への移動を指示されたとき（ユーザが右隣の文字を入力したいと思ったとき）、図１４に示されるように、ハイライト表示を右方向へ移動し、「ｘ」をハイライト表示させる。
【００４３】
ステップＳ３５において、ＭＰＵ４４は、決定ボタン３３が押されたか否かを判定する。決定ボタン３３が押されていないと判定された場合、ユーザが選択したい（入力したい）文字はハイライト表示された文字ではないので、ＭＰＵ４４は、処理をステップＳ３２に戻し、決定ボタン３３が押されるまで、文字を選択する処理を繰り返し行なう。
【００４４】
ステップＳ３５において、決定ボタン３３が押されたと判定された場合、ＭＰＵ４４は、処理をステップＳ３６に進め、選択された文字を入力文字に決定し、入力されたユーザＩＤとして、内蔵するＲＡＭに記憶する。
【００４５】
ステップＳ３７において、ＭＰＵ４４は、表示制御部４５を制御して、選択された文字をＩＤ枠１に表示する。ステップＳ３８において、ＭＰＵ４４は、決定ボタン３３が再度押されたか否かを判定する。決定ボタン３３が再度押されていないと判定された場合、ＭＰＵ４４は、ユーザＩＤの入力が終了していないので、処理をステップＳ３２に戻し、決定ボタン３３が２回押されるまで、文字入力を繰り返す。
【００４６】
以上の処理が複数回行われ、図１５に示されるように、例えば、「ｘ」の後、「ｙ」、「ｚ」、「１」、「２」、「３」、「４」が入力されると、「ｘｙｚ１２３４」と表示される。
【００４７】
ステップＳ３８において、決定ボタン３３が押されたと判定された場合、ＭＰＵ４４は、処理をステップＳ３９に進め、ＩＤ枠１にそれまで表示（明示表示）されていた文字（ユーザＩＤ）を全て伏字表示にし、ステップＳ４０において、カーソル５をパスワード枠２に移動させる。例えば、「ｘｙｚ１２３４」がＩＤ枠１に入力された後、決定ボタン３３が押されると、図１６に示されるように、「ｘｙｚ１２３４」に対応する伏字「＋＋＋＋＋＋＋」が表示され、カーソル５がパスワード枠２に移動する。
【００４８】
ステップＳ４１において、ＭＰＵ４４は、受光部２２から操作信号を検出し、その操作信号が文字選択信号であるか否かを判定する。操作信号が文字選択信号ではないと判定された場合、ＭＰＵ４４は、文字選択信号を検出するまで処理を留める。
【００４９】
ステップＳ４１において、操作信号が文字選択信号であると判定された場合、ＭＰＵ４４は、処理をステップＳ４２に進め、ユーザＩＤの場合と同様に、文字選択マーク３の矢印の表示をユーザが指示した方向の矢印の表示に変更する。
【００５０】
ステップＳ４３において、ＭＰＵ４４は、ユーザＩＤの場合と同様に、文字４のハイライト表示を、現在選択されている文字の位置から、選択された方向に移動させる。ステップＳ４４において、ＭＰＵ４４は、決定ボタン３３が押されたか否かを判定する。決定ボタン３３が押されていないと判定された場合、ユーザの入力したい文字はこの文字ではないので、ＭＰＵ４４は、処理をステップＳ４１に戻し、入力文字を選択する処理を、決定ボタン３３が押されるまで繰り返す。
【００５１】
ステップＳ４４において、決定ボタン３３が押されたと判定された場合、ＭＰＵ４４は、処理をステップＳ４５に進め、入力されたパスワードとして、選択された文字を内部のＲＡＭに記憶する。
【００５２】
ステップＳ４６において、ＭＰＵ４４は、表示制御部４５を制御して、パスワード枠２に、入力文字に対応する伏字を表示する。
【００５３】
ステップＳ４７において、ＭＰＵ４４は、決定ボタン３３が再度押されたか否かを判定する。決定ボタン３３が再度押されていないと判定された場合、ユーザがまだパスワードの文字入力を完了していないので、ＭＰＵ４４は、処理をステップＳ４１に戻し、決定ボタン３３が２回押されるまで、パスワードへの文字入力の処理を繰り返す。
【００５４】
以上の処理が複数回行われ、表示制御部４５は、図１７に示されるように、文字が入力されるごとに、伏字を１つずつ増やして表示する。
【００５５】
ステップＳ４７において、決定ボタン３３が再度押されたと判定された場合、ＭＰＵ４４は、処理を終了する。
【００５６】
なお、上述の処理では、文字選択マーク３や文字４において、ユーザから指示された方向の矢印や選択された文字をハイライトさせたが、ユーザが選択した方向を認識できるように、例えば、点滅させたり、色を変更したりして表示してもよい。
【００５７】
さらに、本発明を適用したテレビジョン受像機２１がユーザＩＤとパスワードを設定する処理の他の例を図１８と図１９のフローチャートを参照して説明する。
【００５８】
ステップＳ６１乃至Ｓ６６において、図１０のステップＳ３１乃至ステップＳ３６と同様の処理が行なわれた後、ステップＳ６７において、ＭＰＵ４４は、表示制御部４５を制御して、ＩＤ枠１に、入力文字に対応する伏字を表示する。その後、ステップＳ６８で、ＭＰＵ４４は、決定ボタンが押されたか否かを判定し、押されていない場合、処理をステップＳ６２に戻し、それまでの処理を繰り返す。
【００５９】
即ち、この例において、図２０に示されるように、ＩＤ枠１にカーソル５が表示された後、図２１に示されるように、ＩＤ枠１に、ユーザＩＤの入力文字が、初めから伏字として表示される。
【００６０】
その後のステップＳ６９乃至Ｓ７６の処理は、図１１のステップＳ４０乃至Ｓ４７の処理と同様の処理であるので、その説明は省略する。
【００６１】
このようにして、図２２に示されるように、パスワード枠２にも、入力文字に対応して、パスワードが伏字として表示され、決定ボタン３３が押されることによって、処理が終了する。
【００６２】
図１０と図１１、または図１８と図１９の処理によって、ユーザＩＤとパスワードの入力が完了した状態の例が図２３に示されている。ＩＤ枠１とパスワード枠２には、入力された文字と同じ数の伏字が表示される。従って、表示部１１を見ることが可能な第３者に、ユーザＩＤとパスワードの両方が同時に見られるおそれが少なくなり、安全性を高めることができる。
【００６３】
なお、上述した一連の処理は、図７に示したようなテレビジョン受像機２１に実行させるだけでなく、例えば、パーソナルコンピュータ等に実行させるようにしてもよい。
【００６４】
また、上述した一連の処理は、文字入力において、画面上で文字を選択することによって行ったが、文字を直接入力するようにしてもよい。
【００６５】
さらに、上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているテレビジョン受像機、または、各種のプログラムをインストールすることで、各種の機能を実行することが可能な、例えば汎用のテレビジョン受像機などに、ネットワークや記録媒体からインストールされる。
【００６６】
この記録媒体は、図８に示されるように、装置本体とは別に、ユーザにプログラムを提供するために配布される、プログラムが記録されているリムーバブルメモリ４８などよりなるパッケージメディアにより構成されるだけでなく、装置本体に予め組み込まれた状態でユーザに提供される、記憶部４６に含まれるハードディスクなどで構成される。
【００６７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００６８】
【発明の効果】
以上のように、本発明によれば、ユーザＩＤやパスワードを入力することができる。また、その入力したユーザＩＤとパスワードの両方を同時に他人に見られないようにすることができる。
【図面の簡単な説明】
【図１】従来のユーザＩＤとパスワードの設定処理を説明するフローチャートである。
【図２】従来のユーザＩＤとパスワードの設定処理を説明するフローチャートである。
【図３】従来の認証画面の例を示す図である。
【図４】従来のユーザＩＤとパスワードの入力の例を示す図である。
【図５】従来のユーザＩＤとパスワードの入力の例を示す図である。
【図６】従来のユーザＩＤとパスワードの入力の例を示す図である。
【図７】本発明を適用した認証システムの実施の形態の構成を示す図である。
【図８】図７のテレビジョン受像機の内部の構成を示すブロック図である。
【図９】図７のリモートコントローラの内部の構成を示すブロック図である。
【図１０】図７の認証システムにおけるユーザＩＤとパスワードの設定処理を説明するフローチャートである。
【図１１】図７の認証システムにおけるユーザＩＤとパスワードの設定処理を説明するフローチャートである。
【図１２】図７の認証システムにおける認証画面の例を示す図である。
【図１３】図１２の認証画面におけるユーザＩＤとパスワードの入力の例を示す図である。
【図１４】図７の認証システムにおける認証画面の例を示す図である。
【図１５】図１２の認証画面におけるユーザＩＤとパスワードの入力の例を示す図である。
【図１６】図１２の認証画面におけるユーザＩＤとパスワードの入力の例を示す図である。
【図１７】図１２の認証画面におけるユーザＩＤとパスワードの入力の例を示す図である。
【図１８】図７の認証システムにおけるユーザＩＤとパスワードを設定する他の処理例を説明するフローチャートである。
【図１９】図７の認証システムにおけるユーザＩＤとパスワードを設定する他の処理例を説明するフローチャートである。
【図２０】図１２の認証画面におけるユーザＩＤとパスワードの入力の例を示す図である。
【図２１】図１２の認証画面におけるユーザＩＤとパスワードの入力の例を示す図である。
【図２２】図１２の認証画面におけるユーザＩＤとパスワードの入力の例を示す図である。
【図２３】図７の認証システムにおけるユーザＩＤとパスワードの入力完了時の認証画面の例を示す図である。
【符号の説明】
１　ＩＤ枠，　２　パスワード枠，　３　文字選択マーク，　４　文字，　１１　表示部，　２１　テレビジョン受像機，　２２　受光部，　３０　リモートコントローラ，　３１　発光部，　３２　操作部，　３３　決定ボタン，　４１内部バス，　４２　チューナ，　４３　デコーダ，　４４　ＭＰＵ，　４５　表示制御部，４６　記憶部，　６１　操作検出部，　６２　ＭＰＵ
【図１】
2004038403.tif 000003
【図２】
2004038403.tif 000004
【図３】
2004038403.tif 000005
【図４】
2004038403.tif 000006
【図５】
2004038403.tif 000007
【図６】
2004038403.tif 000008
【図７】
2004038403.tif 000009
【図８】
2004038403.tif 000010
【図９】
2004038403.tif 000011
【図１０】
2004038403.tif 000012
【図１１】
2004038403.tif 000013
【図１２】
2004038403.tif 000014
【図１３】
2004038403.tif 000015
【図１４】
2004038403.tif 000016
【図１５】
2004038403.tif 000017
【図１６】
2004038403.tif 000018
【図１７】
2004038403.tif 000019
【図１８】
2004038403.tif 000020
【図１９】
2004038403.tif 000021
【図２０】
2004038403.tif 000022
【図２１】
2004038403.tif 000023
【図２２】
2004038403.tif 000024
【図２３】
2004038403.tif 000025